(57)【要約】  開示された本発明に係る山養参年根情報提供システムは、紙またはプラスチック材質の背景シートと；使用者により前記背景シートに置かれた山養参の山養参映像を取得し、前記使用者により山養参の脳頭（頭の部分）の開始線と山養参の脳頭の終了線とを入力され、取得された前記山養参映像と前記山養参脳頭の開始線と山養参脳頭の終了線とを用いて山養参脳頭の長さを算出し、算出された前記山養参脳頭長さを送信する消費者端末と；山養参脳頭長さに対応する山養参年根情報を予め保存し、前記消費者端末から送られた前記山養参脳頭長さに該当する山養参年根情報を検索し、検索された山養参年根情報を前記消費者端末に送信するサーバと；を含む。【選択図】図１
2019521458.tif 000002
【特許請求の範囲】
【請求項１】
紙またはプラスチック材質の背景シートと；
使用者により前記背景シートに置かれた山養参の山養参映像を取得し、前記使用者により山養参脳頭（頭の部分）の開始線と前記山養参脳頭の終了線とが入力され、取得された前記山養参映像と前記山養参脳頭の前記開始線と前記山養参脳頭の前記終了線とを用いて山養参脳頭長さを算出し、算出された前記山養参脳頭長さを送信する消費者端末と；
山養参脳頭長さに対応する山養参年根情報を予め保存し、前記消費者端末から送られた前記山養参脳頭長さに該当する山養参年根情報を検索し、検索された前記山養参年根情報を前記消費者端末に送信するサーバと；を含むことを特徴とする、山養参年根情報提供システム。
【請求項２】
前記背景シートは、山養参収納箱に付着または印刷されることを特徴とする、請求項１に記載の山養参年根情報提供システム。
【請求項３】
前記山養参収納箱は、山養参生産者が前記山養参を詰めた箱であり、前記背景シートは、前記山養参収納箱のカバーの後面に付着または印刷されることを特徴とする、請求項２に記載の山養参年根情報提供システム。
【請求項４】
前記消費者端末は、
前記背景シートに置かれた前記山養参を撮影する撮影部と、
前記撮影部のビューファインダー映像又は前記山養参映像を表示する表示部と、
前記表示部に結合され、使用者により、前記山養参脳頭の前記開始線及び前記終了線を入力できるようにしたタッチスクリーンと、
前記サーバとの通信を行う消費者端末通信部と、
前記撮影部が撮影した前記山養参映像を保存し、前記撮影部が撮影した場合には、前記表示部は前記ビューファインダー映像を表示せしめ、前記表示部に前記山養参映像を表示せしめるようにして、前記使用者のタッチにより、前記タッチスクリーンから前記山養参脳頭の前記開始線及び前記終了線が入力されて前記山養参脳頭の長さを算出し、前記消費者端末通信部から、算出された前記山養参脳頭長さを送信せしめる消費者端末制御部と、を含むことを特徴とする、請求項１に記載の山養参年根情報提供システム。
【請求項５】
前記背景シートの四隅部分には基準マーカが表示され、前記ビューファインダー映像の四隅部分には前記基準マーカに対応する案内マーカが表示されることを特徴とする、請求項４に記載の山養参年根情報提供システム。
【請求項６】
前記消費者端末制御部は、
前記山養参映像と前記タッチスクリーンから入力される前記山養参脳頭の前記開始線及び前記山養参脳頭の前記終了線とを用いて、前記山養参脳頭の直線長さを前記山養参脳頭の長さとして算出することを特徴とする、請求項５に記載の山養参年根情報提供システム。
【請求項７】
前記消費者端末制御部は、
前記山養参脳頭の前記開始線及び前記山養参脳頭の前記終了線が入力され、
パターン認識技術を用いて前記案内マーカのパターンを検索し、
検出された赤色アウトラインと前記撮影部の解像度とを用いてピクセル当たりの実際の長さを分析し、
前記山養参脳頭の前記開始線と前記山養参脳頭の前記終了線とを結ぶ直線上に位置したピクセル数を計数し、
計数されたピクセルの個数とピクセル当たりの実際の長さとを乗じて、前記山養参脳頭
の直線長さを前記山養参脳頭長さとして算出することを特徴とする、請求項６に記載の山養参年根情報提供システム。
【請求項８】
前記消費者端末制御部は、
前記山養参映像と前記タッチスクリーンから入力される前記山養参脳頭の前記開始線及び前記山養参脳頭の前記終了線とを用いて前記山養参脳頭の曲線の長さを算出し、算出された前記山養参脳頭の曲線の長さを用いて前記山養参脳頭の長さを算出することを特徴とする、請求項５に記載の山養参年根情報提供システム。
【請求項９】
前記消費者端末制御部は、
使用者により調整される前記山養参脳頭の開始線及び前記山養参脳頭の終了線が入力され、
パターン認識技術を用いて赤色アウトラインのパターンを検索し、
検出された前記赤色アウトラインと前記撮影部の解像度とを用いてピクセル当たりの実際の長さを分析し、
前記山養参映像から前記山養参のアウトラインを抽出し、
抽出された前記山養参の前記アウトラインのうち前記山養参脳頭の前記開始線と前記山養参脳頭の前記終了線との間にある前記山養参の上部アウトライン及び前記山養参の下部アウトラインを検出し、前記山養参の前記上部アウトライン及び前記山養参の前記下部アウトラインから映像ノイズを除去し、
前記山養参脳頭の上部曲線及び山養参脳頭の下部曲線のそれぞれのピクセルの個数と前記ピクセル当たりの実際の長さとを乗じて、前記山養参脳頭の前記上部曲線の長さと前記山養参脳頭の前記下部曲線の長さとの平均長さを前記山養参脳頭長さとして算出することを特徴とする、請求項８に記載の山養参年根情報提供システム。
【請求項１０】
前記サーバは、
山養参脳頭長さに対応する山養参年根情報を保存する山養参年根情報データベースと、
前記消費者端末との通信を行うサーバ通信部と、
前記消費者端末から前記山養参脳頭長さを送信されて、前記山養参年根情報データベースにおいて前記消費者端末から送信された前記山養参脳頭長さに該当する年根情報を検索し、前記サーバ通信部から、検出された前記年根情報を前記消費者端末に送信せしめるサーバ制御部と、を含むことを特徴とする、請求項１に記載の山養参年根情報提供システム。
【請求項１１】
前記年根情報データベースに保存される前記山養参脳頭長さに対応する前記山養参年根情報は、全国統計または地域統計に基づいたものであり、
前記サーバ制御部は、地域情報を受信すると、前記地域統計に基づいた山養参年根情報を検索することを特徴とする、請求項１０に記載の山養参年根情報提供システム。
【請求項１２】
山養参のＱＲコードと前記山養参の前面映像と前記山養参の後面映像とを送信するための生産者端末をさらに含み、
前記サーバ制御部は、
前記生産者端末から受信した前記山養参の前面映像及び前記山養参の後面映像のそれぞれから山養参前面特徴要素及び山養参後面特徴要素を抽出し、
前記山養参前面特徴要素及び前記山養参後面特徴要素を、前記生産者端末から受信した前記ＱＲコードに対応させて前記年根情報データベースに保存し、
前記消費者端末がＱＲコードと前記ＱＲコードを有する山養参映像とを送信すると、前記消費者端末から受信した前記山養参映像から山養参特徴要素を抽出し、
前記年根情報データベースにおいて前記山養参特徴要素と一致する前記山養参前面特徴要素及び前記山養参後面特徴要素を検索して前記消費者端末に送信することを特徴とする
、請求項１0に記載の山養参年根情報提供システム。
【発明の詳細な説明】
【技術分野】
【０００１】
本発明は、山養参（サンヤンサム）年根情報提供システムに係り、さらに詳しくは、山養参消費者に山養参年根情報を提供することにより、山養参消費者に山養参年根を簡単に知らせることができる山養参年根情報提供システムに関する。
【背景技術】
【０００２】
２０００年代の初めからインターネットが大衆化され、インターネット店を介して商品を取引する電子商取引が増加している。このような成り行きによって、米、大豆及び唐辛のような一般農産物の取引も電子商取引を通じて行われている。最近では、一般農産物だけでなく、特殊な作物である山養参の取引も電子商取引を通じて行われている。
【０００３】
山養参は天然の山参(サンサム：天然高麗人参)と違って人為的に播種及び栽培されたものであって、長腦山参（ジャンノェサンサム）または長蘆（ジャンロ）とも呼ばれる。山養参の薬効成分は、年根と呼ばれる年齢に応じて異なり、山養参年根が多ければ多いほど、薬効成分も多くなる。したがって、山養参年根に基づいて山養参の価値ないし価格も違ってくる。
【０００４】
一方、一般的な電子商取引と同様に、山養参の電子商取引においても山養参生産者が山養参の実在年根情報と相違なる年根情報をインターネット上に乗せた場合には、山養参消費者に被害が発生する可能性がある。さらに、山養参消費者に発生した損害のため、山養参電子商取引に対する潜在的な消費者からの信頼を失ってしまい、その結果、善良な山養参生産者にも被害が発生するおそれがある。したがって、山養参消費者の被害を防ぐために、山養参消費者が山養参年根を客観的かつ信頼性高く判別できる方法が求められている。
【０００５】
上記求めに応じて、韓国公開特許公報第１０−２００９−００９５１０２号に開示の高麗人参年根判別方法を山養参に適用することができる。
【０００６】
しかしながら、上記公報による高麗人参年根判別方法は、高麗人参の根を組織化学的に染色した後、高麗人参の根の分泌管の層数を分析して高麗人参の年根を判別するので、このような高麗人参年根判別方法は、山養参の年根判別に適用しにくく、山養参消費者が簡単に適用しにくいという問題がある。
【先行技術文献】
【特許文献】
【０００７】
【特許文献１】韓国公開特許公報第１０−２００９−００９５１０２号
【発明の概要】
【発明が解決しようとする課題】
【０００８】
本発明は、前述した問題に鑑みて案出されたものであり、その目的は、山養参消費者に山養参年根情報を提供することにより、山養参消費者に簡単に山養参年根を知らせる山養参年根情報提供システムを提供することである。
【０００９】
また、本発明の他の目的は、山養参購入消費者が、電子商取引を通じて配送された山養参が生産者の販売した山養参と一致するかどうかを確認できるようにした山養参年根情報提供システムを提供することである。 
本発明の目的は、以上で言及したものに制限されず、言及していない他の目的は、下記
の記載から本発明の属する技術分野における通常の知識を有する者に明確に理解されるはずである。
【課題を解決するための手段】
【００１０】
上記目的を達成するために、本発明に係る山養参年根情報提供システムは、紙またはプラスチック材質の背景シートと；使用者により前記背景シートに置かれた山養参の山養参映像を取得し、前記使用者により山養参の脳頭（頭の部分）の開始線と山養参の脳頭の終了線とを入力され、取得された前記山養参映像と前記山養参脳頭の開始線と山養参脳頭の終了線とを用いて山養参脳頭の長さを算出し、算出された前記山養参脳頭長さを送信する消費者端末と；山養参脳頭長さに対応する山養参年根情報を予め保存し、前記消費者端末から送られた前記山養参脳頭長さに該当する山養参年根情報を検索し、検索された山養参年根情報を前記消費者端末に送信するサーバと；を含む。
【００１１】
ここで、前記消費者端末は、前記背景シートに置かれた前記山養参を撮影する撮影部と、前記撮影部のビューファインダー映像又は前記山養参映像を表示する表示部と、前記表示部に結合され、使用者により、前記山養参脳頭の開始線及び終了線を入力できるようにしたタッチスクリーンと、前記サーバとの通信を行う消費者端末通信部と、前記撮影部が撮影した前記山養参映像を保存し、前記撮影部が撮影した場合には、前記表示部をして前記ビューファインダー映像を表示せしめ、前記表示部をして前記山養参映像を表示せしめるようにして、使用者のタッチにより、前記タッチスクリーンから前記山養参脳頭の開始線及び終了線を入力されて前記山養参脳頭の長さを算出し、前記通信部をして、算出された前記山養参脳頭の長さを送信せしめる消費者端末制御部と、を含むことができる。
【００１２】
ここで、前記背景シートの四隅部分には基準マーカが表示され、前記ビューファインダー映像の四隅部分には前記基準マーカに対応する案内マーカが表示され得る。
【００１３】
また、前記消費者端末制御部は、前記山養参映像と前記タッチスクリーンから入力される前記山養参脳頭の開始線及び前記山養参脳頭の終了線とを用いて、前記山養参脳頭の直線長さを前記山養参脳頭の長さとして算出することができる。
【００１４】
また、前記消費者端末制御部は、前記山養参脳頭の開始線及び山養参脳頭の終了線を入力され、パターン認識技術を用いて赤色アウトラインパターンを検索し、検出された前記赤色アウトラインと前記撮影部の解像度とを用いてピクセル当たりの実際の長さを分析し、前記山養参脳頭の開始線と前記山養参脳頭の終了線とを結ぶ直線上に位置したピクセル数を計数し、計数されたピクセルの個数とピクセル当たりの実際の長さとを乗じて、前記山養参脳頭の直線長さを前記山養参脳頭の長さとして算出することができる。
【００１５】
また、前記消費者端末制御部は、前記山養参映像と前記タッチスクリーンから入力される前記山養参脳頭の開始線及び前記山養参脳頭の終了線とを用いて前記山養参脳頭の曲線の長さを算出し、算出された前記山養参脳頭の曲線の長さを用いて前記山養参脳頭の長さを算出することができる。
【００１６】
また、前記消費者端末制御部は、使用者により調整される前記山養参脳頭の開始線及び前記山養参脳頭の終了線を入力され、パターン認識技術を用いて赤色アウトラインパターンを検索し、検出された前記赤色アウトラインと前記撮影部の解像度とを用いてピクセル当たりの実際の長さを分析し、前記山養参映像から山養参のアウトラインを抽出し、抽出された前記山養参のアウトラインのうち前記山養参脳頭の開始線と前記山養参脳頭の終了線との間にある山養参の上部アウトライン及び山養参の下部アウトラインを検出し、前記山養参の上部アウトライン及び前記山養参の下部アウトラインから映像ノイズを除去し、前記山養参脳頭の上部曲線及び山養参脳頭の下部曲線のそれぞれのピクセルの個数と前記
ピクセル当たりの実際の長さとを乗じて、山養参脳頭の上部曲線の長さと山養参脳頭の下部曲線の長さとの平均長さを前記山養参脳頭の長さとして算出することができる。
【００１７】
また、前記サーバは、山養参脳頭長さに対応する山養参年根情報を保存する山養参年根情報データベースと、前記消費者端末との通信を行うサーバ通信部と、前記消費者端末から前記山養参脳頭長さを送信されて、前記山養参年根情報データベースにおいて前記消費者端末から送信された前記山養参脳頭長さに該当する年根情報を検索し、前記サーバ通信部をして、検出された年根情報を前記消費者端末に送信せしめるサーバ制御部と、を含むことができる。
【００１８】
ここで、前記年根情報データベースに保存される前記山養参脳頭長さに対応する山養参年根情報は、全国統計または地域統計に基づいたものであり、前記サーバ制御部は、地域情報を受信すると、前記地域統計に基づいた山養参年根情報を検索することができる。
【００１９】
また、山養参のＱＲコードと前記山養参の前面映像と前記山養参の後面映像とを送信するための生産者端末をさらに含み、前記サーバ制御部は、前記生産者端末が送信した前記山養参の前面映像及び前記山養参の後面映像のそれぞれから山養参前面特徴要素及び山養参後面特徴要素を抽出し、前記山養参前面特徴要素及び前記山養参後面特徴要素を、前記生産者端末が送信した前記ＱＲコードに対応させて前記年根情報データベースに保存し、前記消費者端末がＱＲコードと前記ＱＲコードを有する山養参映像とを送信すると、前記消費者端末が送信した前記山養参映像から山養参特徴要素を抽出し、前記年根情報データベースにおいて前記山養参特徴要素と一致する前記山養参前面特徴要素及び前記山養参後面特徴要素を検索して前記消費者端末に送信することができる。
【００２０】
また、本発明に係る山養参年根情報提供システムは、山養参収納箱に付着または印刷された背景シートと；使用者により前記背景シートに置かれた山養参の山養参映像を取得し、前記使用者により山養参の脳頭の開始線と山養参の脳頭の終了線とを入力され、取得された前記山養参映像と前記山養参脳頭の開始線と山養参脳頭の終了線とを用いて山養参脳頭の長さを算出し、算出された前記山養参脳頭長さを送信する消費者端末と；山養参脳頭長さに対応する山養参年根情報を予め保存し、前記消費者端末から送られた前記山養参脳頭長さに該当する山養参年根情報を検索し、検索された山養参年根情報を前記消費者端末に送信するサーバと；を含む。
【００２１】
ここで、前記山養参収納箱は、山養参生産者が前記山養参を詰めた箱であり、前記背景シートは、前記山養参収納箱のカバーの後面に付着または印刷されてもよい。
【００２２】
また、前記消費者端末は、前記背景シートに置かれた前記山養参を撮影する撮影部と、前記撮影部のビューファインダー映像又は前記山養参映像を表示する表示部と、前記表示部に結合され、使用者により、前記山養参脳頭の開始線及び終了線を入力できるようにしたタッチスクリーンと、前記サーバとの通信を行う消費者端末通信部と、前記撮影部が撮影した前記山養参映像を保存し、前記撮影部が撮影した場合には、前記表示部をして前記ビューファインダー映像を表示せしめ、前記表示部をして前記山養参映像を表示せしめるようにして、使用者のタッチにより、前記タッチスクリーンから前記山養参脳頭の開始線及び終了線を入力されて前記山養参脳頭の長さを算出し、前記通信部をして、算出された前記山養参脳頭の長さを送信せしめる消費者端末制御部と、を含むことができる。
【００２３】
ここで、前記背景シートの四隅部分には基準マーカが表示され、前記ビューファインダー映像の四隅部分には前記基準マーカに対応する案内マーカが表示され得る。
【００２４】
また、 前記消費者端末制御部は、前記山養参映像と前記タッチスクリーンから入力さ
れる前記山養参脳頭の開始線及び前記山養参脳頭の終了線とを用いて、前記山養参脳頭の直線長さを前記山養参脳頭の長さとして算出することができる。
【００２５】
また、前記消費者端末制御部は、前記山養参脳頭の開始線及び山養参脳頭の終了線を入力され、パターン認識技術を用いて赤色アウトラインパターンを検索し、検出された前記赤色アウトラインと前記撮影部の解像度とを用いてピクセル当たりの実際の長さを分析し、前記山養参脳頭の開始線と前記山養参脳頭の終了線とを結ぶ直線上に位置したピクセル数を計数し、計数されたピクセルの個数とピクセル当たりの実際の長さとを乗じて、前記山養参脳頭の直線長さを前記山養参脳頭の長さとして算出することができる。
【００２６】
また、前記消費者端末制御部は、前記山養参映像と前記タッチスクリーンから入力される前記山養参脳頭の開始線及び前記山養参脳頭の終了線とを用いて前記山養参脳頭の曲線の長さを算出し、算出された前記山養参脳頭の曲線の長さを用いて前記山養参脳頭の長さを算出することができる。
【００２７】
また、前記消費者端末制御部は、使用者により調整される前記山養参脳頭の開始線及び前記山養参脳頭の終了線を入力され、パターン認識技術を用いて赤色アウトラインパターンを検索し、検出された前記赤色アウトラインと前記撮影部の解像度とを用いてピクセル当たりの実際の長さを分析し、前記山養参映像から山養参のアウトラインを抽出し、抽出された前記山養参のアウトラインのうち前記山養参脳頭の開始線と前記山養参脳頭の終了線との間にある山養参の上部アウトライン及び山養参の下部アウトラインを検出し、前記山養参の上部アウトライン及び前記山養参の下部アウトラインから映像ノイズを除去し、前記山養参脳頭の上部曲線及び山養参脳頭の下部曲線のそれぞれのピクセルの個数と前記ピクセル当たりの実際の長さとを乗じて、山養参脳頭の上部曲線の長さと山養参脳頭の下部曲線の長さとの平均長さを前記山養参脳頭の長さとして算出することができる。
【００２８】
また、 前記サーバは、山養参脳頭長さに対応する山養参年根情報を保存する山養参年根情報データベースと、前記消費者端末との通信を行うサーバ通信部と、前記消費者端末から前記山養参脳頭長さを送信されて、前記山養参年根情報データベースにおいて前記消費者端末から送信された前記山養参脳頭長さに該当する年根情報を検索し、前記サーバ通信部をして、検出された年根情報を前記消費者端末に送信せしめるサーバ制御部と、を含むことができる。
【００２９】
ここで、 前記年根情報データベースに保存される前記山養参脳頭長さに対応する山養参年根情報は、全国統計または地域統計に基づいたものであり、前記サーバ制御部は、地域情報を受信すると、前記地域統計に基づいた山養参年根情報を検索することができる。
【００３０】
また、 山養参のＱＲコードと前記山養参の前面映像と前記山養参の後面映像とを送信するための生産者端末をさらに含み、前記サーバ制御部は、前記生産者端末が送信した前記山養参の前面映像及び前記山養参の後面映像のそれぞれから山養参前面特徴要素及び山養参後面特徴要素を抽出し、前記山養参前面特徴要素及び前記山養参後面特徴要素を、前記生産者端末が送信した前記ＱＲコードに対応させて前記年根情報データベースに保存し、前記消費者端末がＱＲコードと前記ＱＲコードを有する山養参映像とを送信すると、前記消費者端末が送信した前記山養参映像から山養参特徴要素を抽出し、前記年根情報データベースにおいて前記山養参特徴要素と一致する前記山養参前面特徴要素及び前記山養参後面特徴要素を検索して前記消費者端末に送信することができる。
【発明の効果】
【００３１】
本発明に係る山養参年根情報提供システムによれば、山養参消費者に山養参年根情報を提供することにより、山養参消費者に山養参年根を簡単に知らせることができ、その結果
、消費者信頼性を高めることができる。
【００３２】
また、山養参消費者が、山養参の電子商取引により配送された山養参が山養参生産者の提供した山養参と一致するかどうかを確認することができ、これにより本物かどうかを検証することができる。
【００３３】
本発明の効果は、以上で言及したものに制限されず、言及していない他の効果は、下記の記載から、本発明が属する技術分野における通常の知識を有する者に明確に理解されるであろう。
【図面の簡単な説明】
【００３４】
【図１】本発明の一実施例に係る山養参年根情報提供システムを概略的に示すブロック図である。
【図２】本発明の一実施例に係る山養参年根情報提供システムの背景シートを示す図である。
【図３】本発明の一実施例に係る山養参年根情報提供システムの背景シートが山養参収納箱に付着または印刷された状態を示す図である。
【図４】本発明の一実施例に係る山養参年根情報提供システムの消費者端末を示すブロック図である。
【図５】本発明の一実施例に係る山養参年根情報提供システムのサーバを示すブロック図である。
【図６】本発明の一実施例に係る山養参年根情報提供システムのビューファインダー映像を示す図である。
【図７】本発明の一実施例に係る山養参年根情報提供システムの撮影部が撮影した山養参映像を示す図である。
【図８】本発明の一実施例に係る山養参年根情報提供システムが山養参脳頭の長さを算出する過程を説明するための図である。
【図９】本発明の一実施例に係る山養参年根情報提供システムが山養参脳頭の長さを算出する過程を説明するための図である。
【発明を実施するための形態】
【００３５】
以下、添付図面を参照して本発明の好適な実施例について詳細に説明する。本発明の利点及び特徴、そしてそれらを達成する方法は、添付の図面と共に詳細に後述される実施例を参照すれば、明確になるであろう。しかし、本発明は、以下で開示する実施例に限定されるものではなく、互いに異なる様々な形態で具現でき、単に本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。 明細書全体にわたって同一参照符号は同一の構成要素を指す。
【００３６】
他の定義がない場合は、本明細書で使用されるすべての用語（技術及び科学的用語を含む）は、本発明が属する技術分野で通常の知識を有する者に共通的に理解することができる意味で使用することができるであろう。また、一般的に使用される辞典に定義されている用語は明白に特別に定義されていない限り、理想的または過度に解釈されない。
【００３７】
本明細書で使用される用語は、実施例を説明するためのものであり、本発明を制限しようとするものではない。本明細書では、単数形は、文句で特に言及しない限り、複数形をも含む。明細書で使用される「含む（ｃｏｍｐｒｉｓｅｓ）」及び／または「含んでいる（ｃｏｍｐｒｉｓｉｎｇ）」は、述べられた構成要素に加えて一つ以上の他の構成要素の存在または追加を排除しない。
【００３８】
以下、 本発明の一実施例に係る山養参年根情報提供システムについて図面を参照して説明する。
【００３９】
図１乃至図９を参照すると、本発明の一実施例に係る山養参年根情報提供システム（以下、「山養参年根情報提供システム」という。）１は、紙またはプラスチック材質の背景シート１０（図２を参照）、または山養参収納箱（Ｂ）に付着または印刷された背景シート１０（図３参照）と；使用者により背景シート１０に置かれた山養参の山養参映像ＷＧＩ（図７参照）を取得し、使用者により山養参の脳頭（頭の部分）Ｈの開始線ＳＬ（図７参照）と山養参の脳頭Ｈの終了線ＴＬ（図７参照）とが入力され、取得された山養参映像ＷＧＩと山養参脳頭Ｈの開始線ＳＬと山養参脳頭Ｈの終了線ＴＬとを用いて山養参脳頭長さＨＬ（図９（ｂ）参照）を算出し、算出された山養参脳頭長さＨＬを送信する消費者端末１００と；山養参脳頭長さＨＬに対応する山養参年根情報を予め保存し、消費者端末１００から送られた山養参脳頭長さＨＬに該当する山養参年根情報を検索し、検索された山養参年根情報を消費者端末１００に送信するサーバ２００と；を含むことができる。
【００４０】
山養参年根情報提供システム１は、消費者端末１００とサーバ２００とを通信的に接続する通信網２０をさらに含むことができる。ここで、通信網２０は、有線通信網または無線通信網として実現でき、インターネットとして実現されることが好ましい。
【００４１】
背景シート１０は、山養参生産者と山養参消費者間に山養参取引（電子商取引を含む）が行われ、山養参生産者が山養参消費者に山養参を引き渡すために山養参を詰めた箱に提供されるか、または付着及び印刷されることができる。
【００４２】
背景シート１０は、山養参年根情報提供システムの運営者が山養参生産者に有償または無償で提供することができる。背景シート１０の四隅部分には、図２及び図３に示すように、基準マーカ１１が印刷されてもよい。背景シート１０には、使用者の便宜のために山養参の絵が印刷されてもよい。
【００４３】
背景シート１０は、図３に示すように、開放された山養参収納箱ＢのカバーＢ−１の後面に付着または印刷されてもよい。
【００４４】
背景シート１０の中央部分には、図２及び図３に示すように、定規１２が印刷されてもよい。したがって、使用者は、消費者端末１００を用いて山養参を撮影する場合、山養参脳頭の長さを測定しているように感じることができる。
【００４５】
山養参収納箱Ｂは、山養参生産者と山養参消費者間に山養参取引（電子商取引を含む）が行われ、山養参生産者が山養参消費者に山養参を引き渡すために山養参を詰めた箱であり得る。
【００４６】
本発明の実施例では、一例として、山養参収納箱Ｂと背景シート１０とが別々に製作されて背景シート１０が山養参収納箱Ｂに付着されているが、これに限定されず、山養参収納箱Ｂに背景シート１０の内容が印刷されることにより背景シート１０が実現されてもよい。
【００４７】
消費者端末１００は、背景シート１０に置かれた山養参ＷＧを撮影する撮影部１２０と、撮影部１２０のビューファインダー映像ＶＦ（図６参照）、または山養参映像ＷＧＩを表示する表示部１３０と、表示部１３０に結合され、使用者により、山養参脳頭Ｈの開始線ＳＬ及び終了線ＴＬを入力できるようにしたタッチスクリーン１４０と、サーバ２００との通信を行う消費者端末通信部１５０と、撮影部１２０が撮影した山養参映像ＷＧＩを
保存し、撮影部１２０が撮影した場合には、表示部１３０をしてビューファインダー映像ＶＦを表示せしめ、表示部１３０をして山養参映像ＷＧＩを表示せしめるようにして、使用者のタッチにより、タッチスクリーン１４０から山養参脳頭Ｈの開始線ＳＬ及び山養参脳頭Ｈの終了線ＴＬを入力されて山養参脳頭長さＨＬを算出し、消費者端末通信部１５０をして、算出された山養参脳頭長さＨＬを送信せしめる消費者端末制御部１１０と；を含むことができる。
【００４８】
撮影部１２０は、スマートフォン、スマートパッドなどのスマート機器に搭載される一般的なデジタルカメラとして実現できる。
【００４９】
表示部１３０は、ＬＣＤパネル、ＯＬＥＤパネル、ＰＤＰパネルなどの一般的な表示装置として実現できる。
【００５０】
一方、背景シート１０の四隅部分には基準マーカ１１が表示され、表示部１３０に表示されるビューファインダー映像ＶＦの四隅部分には、図６に示すように、基準マーカ１１に対応する案内マーカＧを表示することができる。これにより、使用者は、背景シート１０に印刷された基準マーカ１１とビューファインダー映像ＶＦに表示された案内マーカＧとを一致させた後に、撮影部１２０をして山養参映像を取得せしめることにより、消費者端末制御部１１０によって算出された山養参脳頭長さの誤差を防止する。
【００５１】
消費者端末制御部１１０は、山養参映像ＷＧＩとタッチスクリーン１４０から入力される山養参脳頭Ｈの開始線ＳＬ及び山養参脳頭Ｈの終了線ＴＬを用いて山養参脳頭Ｈの直線長さＨＬを山養参脳頭長さＨＬとして算出してサーバ２００に送信することができる。
【００５２】
つまり、表示部には開始線及び終了線が表示され、使用者がこの開始線及び終了線を調整することができる。消費者端末制御部１１０は、図８に示すように、使用者により調整される山養参脳頭Ｈの開始線ＳＬ及び山養参脳頭Ｈの終了線ＴＬが入力される。ここで、本実施例では、一例として、開始線ＳＬが右側に終了線ＴＬが左側にそれぞれ配置されているが、本発明の範囲はこれに限定されず、開始線ＳＬの位置及び終了線ＴＬの位置が変更されてもよい。
【００５３】
次いで、消費者端末制御部１１０は、パターン認識技術を用いて、図８に示すような赤色アウトライン、即ち、基準マーカ１１のパターンを検索したり、図６及び図８に示すような赤色アウトライン、即ち、案内マーカＧのパターンを検索したりする。
【００５４】
その次、消費者端末制御部１１０は、検出された赤色アウトラインと撮影部１２０の解像度とを用いてピクセル当たりの実際の長さを分析する。
【００５５】
次に、消費者端末制御部１１０は、山養参脳頭Ｈの開始線ＳＬと山養参脳頭Ｈの終了線ＴＬとの間の直線上に位置したピクセル数を計数する。
【００５６】
その後、消費者端末制御部１１０は、ピクセルの個数と１つのピクセルに対応する実際の長さとを乗じて、山養参脳頭Ｈの直線長さＨＬを山養参脳頭長さＨＬとして算出する。
【００５７】
続いて、消費者端末制御部１１０は、消費者端末通信部１５０をして、算出された山養参脳頭長さＨＬをサーバ２００に送信せしめる。
【００５８】
一方、山養参の脳頭が曲がった場合には、山養参脳頭長さＨＬをより正確に測定するために、山養参脳頭Ｈの曲線の長さを用いて山量参脳頭長さＨＬを算出することができる。
【００５９】
つまり、消費者端末制御部１１０は、山養参映像ＷＧＩとタッチスクリーン１４０から入力される山養参脳頭Ｈの開始線ＳＬ及び山養参脳頭Ｈの終了線ＴＬとを用いて山養参脳頭Ｈの曲線の長さを算出し、算出された山養参脳頭Ｈの曲線の長さを用いて山養参脳頭長さＨＬを算出してサーバ２００に送信することができる。
【００６０】
具体的には、消費者端末制御部１１０は、図９の（ａ）に示すように、使用者により調整される山養参脳頭Ｈの開始線ＳＬ及び山養参脳頭Ｈの終了線ＴＬが入力される。
【００６１】
次いで、消費者端末制御部１１０は、パターン認識技術を用いて、図６及び図９の（ａ）に示すような赤色アウトライン、即ち、案内マーカＧのパターンまたは基準マーカ１１のパターンを検索する。
【００６２】
その次、消費者端末制御部１１０は、検出された赤色アウトラインと撮影部１２０の解像度とを用いてピクセル当たりの実際の長さを分析する。
【００６３】
次に、消費者端末制御部１１０は、図９の（ｂ）に示すように、山養参映像ＷＧＩから山養参ＷＧのアウトラインＣＬを抽出する。このとき、山養参ＷＧのアウトラインＣＬは、エッジ（Ｅｄｇｅ）抽出方法により抽出可能である。
【００６４】
続いて、消費者端末制御部１１０は、山養参ＷＧのアウトラインＣＬのうち脳頭部分、すなわち、山養参脳頭Ｈの開始線ＳＬと山養参脳頭Ｈの終了線ＴＬとの間にある山養参ＷＧの上部アウトラインＵＣＬ及び山養参ＷＧの下部アウトラインＤＣＬを検索する。ここで、山養参ＷＧの上部アウトラインＵＣＬ及び山養参ＷＧの下部アウトラインＤＣＬは、アクティブ輪郭線追跡（Ａｃｔｉｖｅ  Ｃｏｎｔｏｕｒ  Ｔｒａｃｋｉｎｇ）法により抽出可能である。
【００６５】
その上で、消費者端末制御部１１０は、低周波フィルタ（Ｌｏｗ  Ｐａｓｓ  Ｆｉｌｔｅｒ）を用いて山養参ＷＧの上部アウトラインＵＣＬ及び山養参ＷＧの下部アウトラインＤＣＬから映像ノイズを除去する。これにより、山養参ＷＧの上部アウトラインＵＣＬ及び山養参ＷＧの下部アウトラインＤＣＬは、細かい線が除去されてスムーズになる。
【００６６】
次いで、消費者端末制御部１１０は、山養参脳頭Ｈの上部曲線ＵＣＬと山養参脳頭Ｈの下部曲線ＤＣＬとの其々のピクセルの個数と１つのピクセルに対応する実際の長さとを乗じて、山養参脳頭Ｈの上部曲線ＵＣＬの長さと山養参脳頭Ｈの下部曲線（ＤＣＬ）の長さとの平均長さを山養参脳頭長（ＨＬ）として算出する。
【００６７】
その次、消費者端末制御部１１０は、消費者端末通信部１５０が算出された山養参脳頭長さＨＬをサーバ２００に送信する。
【００６８】
サーバ２００は、山養参脳頭長さに対応する山養参年根情報を保存する山養参年根情報データベース２３０と、通信網２０を介して消費者端末１００と通信できるようにするサーバ通信部２２０と、消費者端末１００から山養参脳頭長さを送信されて、山養参年根情報データベース２３０において消費者端末１００から送信された山養参脳頭長さに該当する年根情報を検索し、サーバ通信部２２０をして年根情報を消費者端末１００に送信せしめるサーバ制御部２１０と、を含むことができる。
【００６９】
年根情報データベース２3０に保存される、山養参脳頭長さに対応する山養参年根情報は、全国統計に基づいたものであり得る。つまり、山養参脳頭長さに対応する山養参年根情報は、全国で生産される山養参を山養参脳頭長さによって分類し、分類された山養参の平均年根を算出し、算出された平均年根を当該山養参脳頭長さに対応させて得られる。
【００７０】
一方、年根情報データベース２３０に保存される、山養参脳頭長さに対応する山養参年根情報は、地域統計に基づいたものであり得る。つまり、山養参脳頭長さに対応する山養参年根情報は、全国を地域別に分け、それぞれの地域で生産される山養参を山養参脳頭長さによって分類し、分類された山養参の平均年根を算出し、算出された平均年根を当該地域の山養参脳頭長さに対応させて得られる。この場合、山養参消費者は、消費者端末１００を用いて山養参の生産地域を選択することができる。また、背景シート１０に地域のマーク（文字、数字、別途マーク）を印刷することにより、消費者端末１０が山養参映像ＷＧＩをサーバ２００に送信すると、サーバ２００は、山養参映像ＷＧＩから地域を自動的に認識することができる。
【００７１】
消費者端末１００は、サーバ２００から山養参年根情報を受信すると、表示部１３０をして山養参年根情報を表示せしめることができる。
【００７２】
このとき、消費者端末１００は、山養参脳頭長さＨＬと共に使用者の入力またはＱＲコードなどを用いて、山養参の生産地域をも送信することができる。
【００７３】
前述した山養参年根情報提供システム１は、山養参脳頭長さを用いて山養参消費者に山養参年根情報を提供しているが、これに限定されず、山養参主根部（胴体）の長さと山養参支根部（根）の長さとを用いて山養参年根情報を提供することもできる。
【００７４】
山養参消費者は、前述したような山養参年根情報提供システム１によって山養参年根情報を容易に得ることができる。
【００７５】
一方、山養参年根情報提供システム１は、生産者及び山養参年根情報提供システム１の運営者が山養参のＱＲコードと当該山養参の前面及び後面を撮影した山養参の前面映像及び山養参の後面映像とを送信する送信生産者端末３００をさらに含むことができる。山養参は、ＱＲコードが印刷された背景シート１０上に載せられた状態で撮影されてもよい。
ＱＲコードには、生産地（原産地）、生産地名（作目班または営農組合法人）、農薬検出の有無、各種認証事項、事前に撮影された包装単位別それぞれの山養参イメージ及び流通、販売、鑑定機関の情報などが含まれてもよい。
【００７６】
このとき、サーバ２００のサーバ制御部２１０は、生産者端末３００が送信した山養参の前面映像及び山養参の後面映像のそれぞれから山養参前面特徴要素及び山養参後面特徴要素を抽出し、抽出された山養参前面特徴要素及び山養参後面特徴要素をＱＲコードに対応させて年根情報データベース２３０に保存する。また、消費者端末１００がＱＲコードと当該ＱＲコードを有する山養参映像ＷＧＩとを送信すると、消費者端末１００が送信した山養参映像ＷＧＩから山養参特徴要素を抽出する。なお、年根情報データベース２３０において山養参映像ＷＧＩから抽出された山養参特徴要素と一致する山養参前面特徴要素及び山養参後面特徴要素を検索して消費者端末１００に送信する。
【００７７】
ここで、特徴要素は、山養参のアウトライン、主根とひげ根の接続点、主根の太さと長さ及びひげ根の数と長さのうち少なくともいずれか一つを含むことができる。したがって、山養参消費者は、山養参生産者によって提供された山養参が山養参生産者の提供した山養参と一致するかどうかを確認することができる。
【００７８】
また、生産者端末３００は、山養参の生産履歴を送信し、サーバ２００の年根情報データベース２３０は、山養参の生産履歴をさらに保存することができる。
【００７９】
以上、添付図面を参照して本発明の実施例を説明したが、本発明が属する技術分野で通
常の知識を有する者であれば、本発明がその技術的思想や必須の特徴を変更せず、他の具体的な形態で実施できるということを理解できるであろう。したがって、前述した実施例は、すべての面で例示的なものであり限定的なものではないと理解すべきである。
【産業上の利用可能性】
【００８０】
本発明は、山養参消費者に山養参年根情報を提供することにより、山養参消費者に簡単に山養参年根を知らせるようにした山養参年根情報提供システムに関するものであり、産業上の利用可能性がある。
【図１】
2019521458.tif 000003
【図２】
2019521458.tif 000004
【図３】
2019521458.tif 000005
【図４】
2019521458.tif 000006
【図５】
2019521458.tif 000007
【図６】
2019521458.tif 000008
【図７】
2019521458.tif 000009
【図８】
2019521458.tif 000010
【図９】
2019521458.tif 000011
【国際調査報告】
2019521458.tif 000012
2019521458.tif 000013
2019521458.tif 000014
2019521458.tif 000015